(57)【要約】  【課題】  利便性の損失及びコストの上昇を招くことなしに種々の機能を遠隔で手軽に利用することができる処理装置、撮影装置及び撮影システムを提供する。  【解決手段】  撮影装置１は、リモコン装置２から発信された赤外光からなるスポット光をＣＣＤで受光し、ＣＣＤ上でのスポット光の受光位置を判定し、判定した受光位置に対応して、表示部１３が表示する画像上での特定の位置を決定し、決定した画像上での特定の位置にポインタを表示する。撮影装置１は、実行すべき処理を示す複数の処理情報からなるメニュー画像を表示部１３に表示し、ポインタの位置に配置された処理情報が示す処理を実行する。使用者は、表示部１３の表示を視認しながら実行させたい処理を示す処理情報にポインタの位置を合わせることによって、撮影装置１が備える種々の機能を遠隔操作で手軽に利用できるようになる。【選択図】        図１
2006050104.tif 000002
【特許請求の範囲】
【請求項１】
画像を表示する表示手段と、
スポット光を所定の受光領域内の一部で受光する受光手段と、
該受光手段が受光した前記スポット光の前記受光領域内での受光位置を判定する手段と、
該手段が判定した前記受光位置に対応して、前記表示手段が表示する画像内での特定の位置を決定する決定手段と、
前記決定手段が決定した前記画像内での特定の位置を指し示すポインタを前記表示手段に表示させる表示制御手段と、
前記画像内での前記ポインタが指し示す位置に応じた処理を実行する処理手段と
を備えることを特徴とする処理装置。
【請求項２】
画像を表示する外部の表示手段に接続可能であり、
接続されている外部の表示手段に特定の画像を表示させる表示制御手段と、
スポット光を所定の受光領域内の一部で受光する受光手段と、
該受光手段が受光した前記スポット光の前記受光領域内での受光位置を判定する手段と、
該手段が判定した前記受光位置に対応して、前記表示手段が表示する画像内での特定の位置を決定する決定手段とを備え、
前記表示制御手段は、前記表示手段が表示する画像内に含ませて、前記決定手段が決定した前記画像内での特定の位置を指し示すポインタを前記表示手段に表示させるように構成してあり、
前記画像内での前記ポインタが指し示す位置に応じた処理を実行する処理手段を更に備えること
を特徴とする処理装置。
【請求項３】
前記処理手段が実行すべき処理を示す処理情報を配置したメニュー画像を前記表示手段に表示させるメニュー表示制御手段を更に備え、
前記表示制御手段は、前記メニュー画像内に含ませて、前記ポインタを前記表示手段に表示させる手段を有し、
前記処理手段は、前記メニュー画像内での前記ポインタが指し示す位置に配置された処理情報が示す処理を実行する実行手段を有すること
を特徴とする請求項１又は２に記載の処理装置。
【請求項４】
前記メニュー表示制御手段は、前記処理情報に対応する所定領域を含んだ前記メニュー画像を前記表示手段に表示させるように構成してあり、
前記処理手段は、前記メニュー画像内での前記ポインタが指し示す位置が、前記処理情報に対応する所定領域内に含まれるか否かを判定する範囲判定手段を更に有し、
前記実行手段は、前記範囲判定手段が、前記メニュー画像内での前記ポインタが指し示す位置が前記所定領域内に含まれると判定した場合に、前記ポインタが指し示す位置が含まれる前記所定領域が対応する前記処理情報が示す処理を実行するように構成してあること
を特徴とする請求項３に記載の処理装置。
【請求項５】
前記処理手段は、
前記ポインタが指し示す前記画像内での位置を記憶する手段と、
該手段が記憶する前記画像内での第１の位置、及び前記ポインタが指し示す前記画像内での第２の位置を含む前記画像内の特定の領域を選択する手段と
を有することを特徴とする請求項１乃至４のいずれかひとつに記載の処理装置。
【請求項６】
前記処理手段による処理の実行を指示する実行指示信号を受信する指示受信手段を更に備え、
前記処理手段は、前記指示受信手段が前記実行指示信号を受信した場合に、前記画像内での前記ポインタが指し示す位置に応じた処理の実行を開始するように構成してあること
を特徴とする請求項１乃至５のいずれかに記載の処理装置。
【請求項７】
外部を撮影する撮影手段と、該撮影手段が外部を撮影した外部画像を含む画像を表示する表示手段とを備える撮影装置において、
前記撮影手段は、光を受光する所定の受光領域を有し、スポット光を前記受光領域内の一部で受光することが可能に構成してあり、
前記撮影手段が受光した前記スポット光の前記受光領域内での受光位置を判定する手段と、
該手段が判定した前記受光位置に対応して、前記表示手段が表示する画像内での特定の位置を決定する決定手段と、
前記表示手段が表示する画像内に含ませて、前記決定手段が決定した前記画像内での特定の位置を指し示すポインタを前記表示手段に表示させる表示制御手段と、
前記画像内での前記ポインタが指し示す位置に応じて、前記撮影手段又は前記表示手段を制御するための処理を実行する処理手段と
を備えることを特徴とする撮影装置。
【請求項８】
外光を受光することによって外部を撮影する撮影手段と、該撮影手段が外部を撮影した外部画像を含む画像を表示する表示手段とを備える撮影装置において、
外光から赤外線帯域の光を分離する分離手段と、
該分離手段が分離した赤外線帯域の光に含まれるスポット光を所定の受光領域内の一部で受光する受光手段と、
該受光手段が受光した前記スポット光の前記受光領域内での受光位置を判定する手段と、
該手段が判定した前記受光位置に対応して、前記表示手段が表示する画像内での特定の位置を決定する決定手段と、
前記表示手段が表示する画像内に含ませて、前記決定手段が決定した前記画像内での特定の位置を指し示すポインタを前記表示手段に表示させる表示制御手段と、
前記画像内での前記ポインタが指し示す位置に応じて、前記撮影手段又は前記表示手段を制御するための処理を実行する処理手段と
を備えることを特徴とする撮影装置。
【請求項９】
前記処理手段が実行すべき処理を示す処理情報を配置したメニュー画像を前記表示手段に表示させるメニュー表示制御手段を更に備え、
前記表示制御手段は、前記メニュー画像内に含ませて、前記ポインタを前記表示手段に表示させる手段を有し、
前記処理手段は、前記メニュー画像内での前記ポインタが指し示す位置に配置された処理情報が示す処理を実行する手段を有すること
を特徴とする請求項７又は８に記載の撮影装置。
【請求項１０】
前記メニュー画面を表示することを指示するメニュー表示指示信号を受信する受信手段を更に備え、
前記メニュー表示制御手段は、前記受信手段が前記メニュー表示指示信号を受信した場合に前記表示手段に前記メニュー画面を表示させるように構成してあること
を特徴とする請求項９に記載の撮影装置。
【請求項１１】
請求項１０に記載の撮影装置と、該撮影装置に対してリモコンの信号を発信するリモコン装置とを備える撮影システムであって、
前記リモコン装置は、
前記スポット光を発光する手段と、
前記メニュー表示指示信号を発信する手段と
を有することを特徴とする撮影システム。
【発明の詳細な説明】
【技術分野】
【０００１】
本発明は、遠隔操作で処理を実行することができる処理装置、撮影装置及び撮影システムに関する。
【背景技術】
【０００２】
カメラ又はビデオカメラ等の撮影装置にて使用者自身を撮影するための技術としては、リモコン装置を利用する技術がある。ＣＣＤを用いた撮像手段を備えるデジタル式の撮影装置は、通常ファインダとして利用できるモニタを備えており、特にビデオカメラ装置は、撮影される側からモニタの表示内容を見ることができるような方向に向けることができるモニタを備えているものがある。このような撮影装置で使用者が自己を撮影する場合は、使用者は、自己がどのように撮影装置に写されているかをモニタを見ながら確認し、リモコン装置を用いて撮影の指示を撮影装置へ送信することによって、思い通りの撮影を行うことができる。特許文献１には、リモコン装置にモニタを備え、リモコン装置を用いて撮影装置を遠隔操作する技術が開示されている。
【特許文献１】特開平１１−１５５０９２号公報
【特許文献２】特開２００２−２３７９６９号公報
【発明の開示】
【発明が解決しようとする課題】
【０００３】
撮影装置を遠隔操作する際には、撮影開始の指示だけでなく、ズームの変更、絞りの指定、静止画を撮影するためのシャッタスピードの指定、又は画像の再生の指示等、撮影装置を直接に操作している場合と同様に状況に応じて撮影装置の機能を手軽に利用したいという要望がある。しかし、従来のリモコン装置を利用する技術では、限られた指示を撮影装置へ送信できるのみであり、遠隔では撮影装置の機能を十分に活用できないという問題がある。またこの問題を解決するために送信すべき種々の指示に対応したボタンを設けたリモコン装置を実現した場合は、リモコン装置のサイズが大きくなりしかも操作が複雑になるので、利便性が損なわれるという問題があり、更にコストが上昇するという問題がある。また撮影装置以外の一般の処理装置でも、リモコン装置を用いて遠隔操作ができる装置があるが、遠隔操作では装置の機能を十分に活用できないか、又は利便性が損なわれてコストが上昇するという問題がある。
【０００４】
本発明は、斯かる事情に鑑みてなされたものであって、その目的とするところは、利便性の損失及びコストの上昇を招くことなしに種々の機能を遠隔で利用することができる処理装置、撮影装置及び撮影システムを提供することにある。
【０００５】
また本発明の他の目的とするところは、種々の機能を手軽に遠隔で利用することができる処理装置、撮影装置及び撮影システムを提供することにある。
【０００６】
また本発明の他の目的とするところは、コストの上昇を招くことなしに遠隔操作の利便性を向上させた処理装置、撮影装置及び撮影システムを提供することにある。
【０００７】
また本発明の他の目的とするところは、遠隔操作の誤作動時の誤作動を防止することができる処理装置、撮影装置及び撮影システムを提供することにある。
【課題を解決するための手段】
【０００８】
本発明に係る処理装置は、画像を表示する表示手段と、スポット光を所定の受光領域内の一部で受光する受光手段と、該受光手段が受光した前記スポット光の前記受光領域内での受光位置を判定する手段と、該手段が判定した前記受光位置に対応して、前記表示手段が表示する画像内での特定の位置を決定する決定手段と、前記決定手段が決定した前記画像内での特定の位置を指し示すポインタを前記表示手段に表示させる表示制御手段と、前記画像内での前記ポインタが指し示す位置に応じた処理を実行する処理手段とを備えることを特徴とする。
【０００９】
本発明においては、リモコン装置又はレーザポインタ装置等の発光装置から発光されたスポット光を受光する受光手段と、画像を表示する表示手段とを備える処理装置は、受光手段の受光領域内でのスポット光の受光位置に対応した画像内での位置を指し示すポインタを、表示手段が表示する画像内に表示する。発光装置を操作する使用者は、表示手段の表示を視認しながら発光装置を操作してポインタの位置を調整することができる。処理装置は、表示手段が表示する画像内でのポインタの位置に応じた処理を実行する。
【００１０】
本発明に係る処理装置は、画像を表示する外部の表示手段に接続可能であり、接続されている外部の表示手段に特定の画像を表示させる表示制御手段と、スポット光を所定の受光領域内の一部で受光する受光手段と、該受光手段が受光した前記スポット光の前記受光領域内での受光位置を判定する手段と、該手段が判定した前記受光位置に対応して、前記表示手段が表示する画像内での特定の位置を決定する決定手段とを備え、前記表示制御手段は、前記表示手段が表示する画像内に含ませて、前記決定手段が決定した前記画像内での特定の位置を指し示すポインタを前記表示手段に表示させるように構成してあり、前記画像内での前記ポインタが指し示す位置に応じた処理を実行する処理手段を更に備えることを特徴とする。
【００１１】
本発明においては、リモコン装置又はレーザポインタ装置等の発光装置から発光されたスポット光を受光する受光手段を備え、画像を表示する外部の表示手段に接続可能な処理装置は、受光手段の受光領域内でのスポット光の受光位置に対応した画像内での位置を指し示すポインタを、表示手段が表示する画像内に表示させる。発光装置を操作する使用者は、表示手段の表示を視認しながら発光装置を操作してポインタの位置を調整することができる。処理装置は、表示手段に表示させる画像内でのポインタの位置に応じた処理を実行する。
【００１２】
本発明に係る処理装置は、前記処理手段が実行すべき処理を示す処理情報を配置したメニュー画像を前記表示手段に表示させるメニュー表示制御手段を更に備え、前記表示制御手段は、前記メニュー画像内に含ませて、前記ポインタを前記表示手段に表示させる手段を有し、前記処理手段は、前記メニュー画像内での前記ポインタが指し示す位置に配置された処理情報が示す処理を実行する実行手段を有することを特徴とする。
【００１３】
また本発明においては、処理装置は、実行すべき複数の処理の夫々を示す複数の処理情報を画像内に配置したメニュー画像を表示手段で表示する。発光装置を操作する使用者は、メニュー画像を視認しながらポインタの位置を調整し、処理情報のいずれかを選択することができる。処理装置は、メニュー画像内でのポインタの位置に配置された処理情報が示す処理を実行する。
【００１４】
本発明に係る処理装置は、前記メニュー表示制御手段は、前記処理情報に対応する所定領域を含んだ前記メニュー画像を前記表示手段に表示させるように構成してあり、前記処理手段は、前記メニュー画像内での前記ポインタが指し示す位置が、前記処理情報に対応する所定領域内に含まれるか否かを判定する範囲判定手段を更に有し、前記実行手段は、前記範囲判定手段が、前記メニュー画像内での前記ポインタが指し示す位置が前記所定領域内に含まれると判定した場合に、前記ポインタが指し示す位置が含まれる前記所定領域が対応する前記処理情報が示す処理を実行するように構成してあることを特徴とする。
【００１５】
また本発明においては、処理装置は、処理情報に対応した所定領域をメニュー画像に表示し、ポインタの位置が所定領域に含まれるか否かを判定し、ポインタの位置が所定領域に含まれている場合に、この所定領域が対応する処理情報が示す処理を行う。
【００１６】
本発明に係る処理装置は、前記処理手段は、前記ポインタが指し示す前記画像内での位置を記憶する手段と、該手段が記憶する前記画像内での第１の位置、及び前記ポインタが指し示す前記画像内での第２の位置を含む前記画像内の特定の領域を選択する手段とを有することを特徴とする。
【００１７】
また本発明においては、処理装置は、ポインタが指し示す位置を記憶し、記憶する第１の位置とポインタが指し示す第２の位置とを含む画像内の領域を選択する処理を行う。
【００１８】
本発明に係る処理装置は、前記処理手段による処理の実行を指示する実行指示信号を受信する指示受信手段を更に備え、前記処理手段は、前記指示受信手段が前記実行指示信号を受信した場合に、前記画像内での前記ポインタが指し示す位置に応じた処理の実行を開始するように構成してあることを特徴とする。
【００１９】
また本発明においては、処理装置は、リモコン装置等からの処理の実行を指示する実行指示信号を受信可能であり、実行指示信号を受信した場合に処理の実行を開始する。
【００２０】
本発明に係る撮影装置は、外部を撮影する撮影手段と、該撮影手段が外部を撮影した外部画像を含む画像を表示する表示手段とを備える撮影装置において、前記撮影手段は、光を受光する所定の受光領域を有し、スポット光を前記受光領域内の一部で受光することが可能に構成してあり、前記撮影手段が受光した前記スポット光の前記受光領域内での受光位置を判定する手段と、該手段が判定した前記受光位置に対応して、前記表示手段が表示する画像内での特定の位置を決定する決定手段と、前記表示手段が表示する画像内に含ませて、前記決定手段が決定した前記画像内での特定の位置を指し示すポインタを前記表示手段に表示させる表示制御手段と、前記画像内での前記ポインタが指し示す位置に応じて、前記撮影手段又は前記表示手段を制御するための処理を実行する処理手段とを備えることを特徴とする。
【００２１】
本発明においては、ＣＣＤ等の撮影手段と画像を表示する表示手段とを備える撮影装置は、リモコン装置から発光されたスポット光を撮影手段で受光し、撮影手段の受光領域内でのスポット光の受光位置に対応した画像内での位置を指し示すポインタを画像内に表示する。リモコン装置を操作する使用者は、表示手段の表示を視認しながらリモコン装置を操作してポインタの位置を調整することができる。撮影装置は、表示手段が表示する画像内でのポインタの位置に応じた処理を実行する。
【００２２】
本発明に係る撮影装置は、外光を受光することによって外部を撮影する撮影手段と、該撮影手段が外部を撮影した外部画像を含む画像を表示する表示手段とを備える撮影装置において、外光から赤外線帯域の光を分離する分離手段と、該分離手段が分離した赤外線帯域の光に含まれるスポット光を所定の受光領域内の一部で受光する受光手段と、該受光手段が受光した前記スポット光の前記受光領域内での受光位置を判定する手段と、該手段が判定した前記受光位置に対応して、前記表示手段が表示する画像内での特定の位置を決定する決定手段と、前記表示手段が表示する画像内に含ませて、前記決定手段が決定した前記画像内での特定の位置を指し示すポインタを前記表示手段に表示させる表示制御手段と、前記画像内での前記ポインタが指し示す位置に応じて、前記撮影手段又は前記表示手段を制御するための処理を実行する処理手段とを備えることを特徴とする。
【００２３】
本発明においては、撮影装置は、撮影手段と画像を表示する表示手段と入射された光から赤外線を分離する手段と赤外線を受光する受光手段とを備え、リモコン装置から発光された赤外線のスポット光を受光手段で受光し、受光手段の受光領域内でのスポット光の受光位置に対応した画像内での位置を指し示すポインタを画像内に表示する。リモコン装置を操作する使用者は、表示手段の表示を視認しながらリモコン装置を操作してポインタの位置を調整することができる。処理装置は、表示手段が表示する画像内でのポインタの位置に応じた処理を実行する。
【００２４】
本発明に係る撮影装置は、前記処理手段が実行すべき処理を示す処理情報を配置したメニュー画像を前記表示手段に表示させるメニュー表示制御手段を更に備え、前記表示制御手段は、前記メニュー画像内に含ませて、前記ポインタを前記表示手段に表示させる手段を有し、前記処理手段は、前記メニュー画像内での前記ポインタが指し示す位置に配置された処理情報が示す処理を実行する手段を有することを特徴とする。
【００２５】
また本発明においては、撮影装置は、実行すべき複数の処理の夫々を示す複数の処理情報を画像内に配置したメニュー画像を表示手段で表示する。リモコン装置を操作する使用者は、メニュー画像を視認しながらポインタの位置を調整し、処理情報のいずれかを選択することができる。撮影装置は、メニュー画像内でのポインタの位置に配置された処理情報が示す処理を実行する。
【００２６】
本発明に係る撮影装置は、前記メニュー画面を表示することを指示するメニュー表示指示信号を受信する受信手段を更に備え、前記メニュー表示制御手段は、前記受信手段が前記メニュー表示指示信号を受信した場合に前記表示手段に前記メニュー画面を表示させるように構成してあることを特徴とする。
【００２７】
本発明に係る撮影システムは、本発明の撮影装置と、該撮影装置に対してリモコンの信号を発信するリモコン装置とを備える撮影システムであって、前記リモコン装置は、前記スポット光を発光する手段と、前記メニュー表示指示信号を発信する手段とを有することを特徴とする。
【００２８】
更に本発明においては、リモコン装置はスポット光を発光する手段と、メニュー画面の表示を指示するメニュー表示指示信号を発信する手段とを備え、撮影装置は、リモコン装置から発信されたメニュー表示指示信号を受信可能であり、メニュー表示指示信号を受信した場合にメニュー画像を表示する。
【発明の効果】
【００２９】
本発明にあっては、処理装置（撮影装置）は、リモコン装置又はレーザポインタ装置等の発光装置から発光されたスポット光の受光位置に対応した位置を指し示すポインタを、表示手段が表示する画像内に表示し、画像内でのポインタの位置に応じた処理を行うことにより、表示手段が表示する画像内の位置に複数の処理の夫々を対応付けておくことで、発光装置を用いた遠隔操作で種々の処理を実行させることが可能となるので、処理装置（撮影装置）が備える種々の機能を遠隔操作で利用できるようになる。また発光装置には余分な機能を付け加える必要がないので、発光装置の操作が複雑化せずに利便性が保たれ、またコストの上昇を抑制することができる。
【００３０】
また本発明にあっては、処理装置（撮影装置）は、実行すべき複数の処理を示す複数の処理情報からなるメニュー画像を表示手段に表示し、ポインタの位置に配置された処理情報が示す処理を実行することにより、使用者は、メニュー画像内の処理情報の表示を視認しながら実行させたい処理を示す処理情報に対応する所定領域にポインタの位置を合わせることによって、手軽に処理内容の指定を行うことができる。
【００３１】
また本発明にあっては、処理装置は、処理の実行を指示する実行指示信号を受信した場合に、ポインタの位置に応じた処理の実行を開始することによって、リモコン装置等の発光装置には実行指示信号を送信する機能を備えるだけで、ポインタの位置に応じた種々の処理の実行を遠隔操作することができるので、発光装置のコストを上昇させずに遠隔操作の利便性を向上させることができる。
【００３２】
また本発明にあっては、撮影装置が外部を撮影する撮影手段と赤外線のスポット光を受光する受光手段とを個別に設けることによって、スポット光の光強度に対応するような明るさの部分が外部画像に含まれている場合に、この部分を赤外線のスポット光であると誤認識することがなく、誤作動を防止することができる。
【００３３】
また本発明にあっては、撮影装置は、リモコン装置からの信号等によりメニュー画像の表示を指示する実行指示信号を受信した場合にメニュー画像の表示を行うことによって、画像の再生中等の更なる処理を行う必要がない場合にスポット光が入射されることにより誤って処理が開始されることがないので、利便性が損なわれることがない等、本発明は優れた効果を奏する。
【発明を実施するための最良の形態】
【００３４】
以下本発明をその実施の形態を示す図面に基づき具体的に説明する。
（実施の形態１）
図１は、本発明の撮影装置１及びリモコン装置２からなる本発明の撮影システムの外観を示す模式図である。撮影装置１は、外光を取り込む開口部１１とリモコン装置２から送信される信号を受信するリモコン受信部（受信手段）１２とを正面に備えている。また撮影装置１は、画像を表示する液晶ディスプレイ（ＬＣＤ：Liquid Crystal Display）等の表示部（表示手段）１３を備えている。リモコン装置２は、赤外線を用いて信号を撮影装置１に対して発信する構成となっている。またリモコン装置２は、画像の再生等の処理の実行を指示する実行指示信号を撮影装置１へ送信することが可能であり、使用者が押下することにより実行指示信号の送信の指示を受け付ける実行ボタン２１を備えている。
【００３５】
図２は、実施の形態１に係る本発明の撮影装置１の内部構成を示すブロック図である。図中の矢印はデータを示し、白矢印は光を示す。撮影装置１は、開口部１１を通過した外光を集光する光学系１５１と、光学系が集光した外光を絞るアイリス１５２と、光学系１５１及びアイリス１５２を通過した光を受光することによって外部を撮影するＣＣＤ（撮影手段）１６１とを備えている。ＣＣＤ１６１には、ＣＣＤ１６１からの出力信号のノイズを減少させる相関二重サンプリング（ＣＤＳ：Correlated Double Sampling）、及びＣＣＤ１６１の検出強度に応じて出力信号のゲインを調整するＡＧＣ（Automatic Gain Control）を行うＣＤＳ／ＡＧＣ処理部１６２が接続されている。ＣＤＳ／ＡＧＣ処理部１６２には、ＣＤＳ／ＡＧＣ処理部１６２からのアナログデータをデジタルデータへ変換するＡＤＣ（Analog Digital Converter）１６３が接続されている。ＡＤＣ１６３には、ＡＤＣ１６３によってデジタル化されたＣＣＤ１６１からの出力信号を画像信号として処理し、ＣＣＤ１６１が撮影した外部画像を示す画像データを生成する信号処理部１６４が接続されている。
【００３６】
また信号処理部１６４には、自動ピント合わせ（ＡＦ）又は自動露出（ＡＥ）のために外部画像に含まれる明点の外部画像の中での座標を判定する座標判定部（決定手段）１７が接続されている。また撮影装置１は、演算を行うＣＰＵ、演算に伴う情報を記憶するＲＡＭ、及び制御プログラムを記憶するＲＯＭ等を用いてなるマイクロコンピュータで構成された制御部（処理部）１４を備えている。座標判定部１７は制御部１４に接続されている。またリモコン受信部１２も制御部１４に接続されており、制御部１４には更に表示部１３が接続されている。制御部１４は、座標判定部１７から入力された画像データに基づいた外部画像を表示部１３に表示させる。また制御部１４は、座標判定部１７及びリモコン受信部１２から入力されたデータに従って、撮影装置１全体の制御を行う。
【００３７】
また本発明の撮影装置１は、リモコン装置２が発信する赤外光を受光できる構成となっている。ＣＣＤ１６１は、外光に含まれる赤外光を受光し、本発明に係る受光手段として機能する。リモコン装置２からの赤外光は他の外光に比べて光強度が大であり、所定範囲の面積内で所定範囲の光強度を有するスポット光をなす。信号処理部１６４は、ＣＣＤ１６が撮影した外部画像の中から赤外線によるスポット光を検出する。座標判定部１７は、ＣＣＤ１６の受光領域内でのスポット光の受光位置を判定し、判定した受光位置に対応して、外部画像内の座標で表される特定の位置を決定する。制御部１４は、座標判定部１７が判定したスポット光の受光位置に対応した外部画像内の特定の位置に、赤い輝点などのポインタを表示部１３に表示させる。また制御部１４は、撮影装置１が備えている図示しない記憶部が記憶する画像データに基づいた再生画像等の外部画像以外の画像を表示部１３に表示させることも可能である。この場合でも、座標判定部１７、判定したスポット光の受光位置に対応した画像内の特定の位置を決定し、制御部１４は、表示部１３が表示する画像内の決定された位置を指し示すポインタを表示部１３に表示させる。このようにして制御部１４は、本発明に係る表示制御手段として機能する。
【００３８】
本発明の撮影装置１は、制御部１４が行うべき処理の内容を示す複数の処理情報を配置したメニュー画像を表示部１４に表示し、リモコン装置２を用いて処理情報のいずれかを指定することによって処理を開始するＧＵＩ（Graghical User Interface）処理を行うことができる。リモコン装置２は、ＧＵＩ処理の開始信号（メニュー表示指示信号）を撮影装置１へ送信することが可能であり、使用者が押下することによりＧＵＩ処理の開始信号を送信する指示を受け付けるＧＵＩボタン２２を備えている。
【００３９】
次に、リモコン装置２を利用することによって行うＧＵＩ処理の内容を説明する。図３は、本発明の撮影装置１が行うＧＵＩ処理の手順を示すフローチャートである。ＧＵＩ処理を行う際は、使用者は、リモコン装置２を撮影装置１へ向けて操作して、ＧＵＩボタン２２を押下することにより、リモコン装置２にＧＵＩ処理の開始信号を発信させる。リモコン装置２は、使用者の操作によりＧＵＩボタン２２の押下を受け付けた場合に、ＧＵＩ処理の開始信号を発信する。
【００４０】
撮影装置１の制御部１４は、リモコン装置２から発信された信号のリモコン受信部１２での受信の有無を監視している（Ｓ１０１）。リモコンの信号の受信がない場合は（Ｓ１０１：ＮＯ）、制御部１４は、リモコンの信号のリモコン受信部１２での受信の監視を続行する。リモコン装置２から発信された信号をリモコン受信部１２が受信した場合は（Ｓ１０１：ＹＥＳ）、制御部１４は、リモコン受信部１２が受信した信号をリモコン受信部１２から受け付け、受信した信号がＧＵＩ処理の開始信号であるか否かを判定する（Ｓ１０２）。受信した信号がＧＵＩ処理の開始信号ではなかった場合は（Ｓ１０２：ＮＯ）、制御部１４は、受信した信号の内容に従ったＧＵＩ処理以外の処理を実行し（Ｓ１０３）、ＧＵＩ処理を終了する。
【００４１】
ステップＳ１０２で、リモコン受信部１２が受信した信号がＧＵＩ処理の開始信号であった場合は（Ｓ１０２：ＹＥＳ）、制御部１４は、制御部１４が行うべき処理の内容を示す複数の処理情報を配置したメニュー画像を表示部１４に表示させる（Ｓ１０４）。図４は、メニュー画像の例を示す模式図である。ＬＣＤのコントラストを調整する処理、ＡＥを絞り優先で設定する処理、又は再生画像のトリミングの処理等、撮影装置１が実行することができる処理の内容を示す処理情報が、表示部１３に表示される。各処理情報には、表示部１３が表示する画像内で所定の面積を有する情報領域（所定領域）が対応している。また表示部１３にはポインタが表示されており、ポインタの位置が情報領域に含まれる場合は、この情報領域が選択状態となる。またメニュー画像は、表示部１３が表示する外部画像又は再生画像等の画像内に含まれる形で表示される。なお、他の画像を表示せずメニュー画像のみを表示する形態であってもよい。
【００４２】
表示部１３に表示されたメニュー画像は、使用者から視認することができる。メニュー画像を視認した使用者は、リモコン装置２を操作して、リモコン装置２に赤外線からなるスポット光を撮影装置１へ向けて発信させる。
【００４３】
撮影装置１の制御部１４は、リモコン装置２から発信された赤外線のスポット光のＣＣＤ１６１での受光の有無を監視している（Ｓ１０５）。スポット光の受光がない場合は（Ｓ１０５：ＮＯ）、制御部１４は、スポット光のＣＣＤ１６１での受光の監視を続行する。リモコン装置２から発信された赤外線のスポット光をＣＣＤ１６１が受光した場合は（Ｓ１０５：ＹＥＳ）、座標判定部１７は、ＣＣＤ１６の受光領域内でのスポット光の受光位置を判定し、判定した受光位置に対応するメニュー画像内での位置を決定し（Ｓ１０６）、制御部１４は、表示部１３に、判定したメニュー画像内での位置にポインタを表示させる（Ｓ１０７）。制御部１４は、次に、ポインタのメニュー画像上での位置がメニュー画像内に表示されている情報領域に含まれるか否かを判定する（Ｓ１０８）。ポインタの位置が情報領域に含まれていない場合は（Ｓ１０８：ＮＯ）、制御部１４は、処理をステップＳ１０５へ戻す。
【００４４】
表示部１３に表示されたポインタは使用者から視認できるので、使用者は、リモコン装置２を動かして、撮影装置１に実行させたい処理を示す処理情報に対応する情報領域へポインタを移動させる。使用者は、リモコン装置２を動かすことによって、所望の処理を示す処理情報に対応する情報領域内にポインタを位置させ、このときに実行ボタン２１を押下することで、所望の処理の実行を指示する実行指示信号をリモコン装置２に発信させる。リモコン装置２は、使用者の操作により実行ボタン２１の押下を受け付けた場合に、実行指示信号を発信する。
【００４５】
ステップＳ１０８で、ポインタの位置がいずれかの情報領域に含まれている場合は（Ｓ１０８：ＹＥＳ）、制御部１４は、リモコン受信部１２での実行指示信号の受信を監視する（Ｓ１０９）。リモコン受信部１２での実行指示信号の受信がない場合は（Ｓ１０９：ＮＯ）、制御部１４は、処理をステップＳ１０５へ戻す。リモコン受信部１２が実行指示信号を受信した場合は（Ｓ１０９：ＹＥＳ）、制御部１４は、ポインタの位置が含まれる情報領域が対応する処理情報が示す処理を実行する（Ｓ１１０）。具体的には、数値の指定等の詳細な処理内容の指定を受け付ける必要がある場は、処理内容を指定するためのサブメニューを表示部１３に表示させ、ポインタの位置により処理内容の指定を受け付け、処理を行う。また、表示部１３が表示する再生画像内の領域を選択して再生トリミングの処理を行う等、メニュー表示以外の方法で処理内容の指定を受け付けることも可能である。
【００４６】
ステップＳ１１０での処理の例として、再生トリミングの処理の手順を説明する。図５は、再生トリミングの処理を行う際の表示部１３の表示例を示す模式図である。図６は、本発明の撮影装置１が行う再生トリミング処理の手順を示すフローチャートである。再生トリミングの処理を行う際には、制御部１４は、まず、メニュー画像を表示している表示部１３の表示を、図５に示す如き再生画像の表示へ切り替える（Ｓ２１）。このとき、表示部１３が表示する再生画像内にはポインタが表示されている。この状態で、使用者は、リモコン装置２を動かすことによってポインタを移動させて、再生画像内でトリミングすべき領域の端にポインタを位置させ、実行ボタン２１を押下することで実行指示信号をリモコン装置２に発信させる。
【００４７】
制御部１４は、次に、リモコン受信部１２での実行指示信号の受信を監視する（Ｓ２２）。リモコン受信部１２での実行指示信号の受信がない場合は（Ｓ２２：ＮＯ）、制御部１４は実行指示信号の受信の監視を続行する。リモコン受信部１２が実行指示信号２を受信した場合は（Ｓ２２：ＹＥＳ）、制御部１４は、内部のＲＡＭに画像内でのポインタの位置を記憶する（Ｓ２３）。使用者は、次に、リモコン装置２を動かすことによってポインタを移動させて、再生画像内でトリミングすべき領域の他端にポインタを位置させ、実行ボタン２１を押下することで実行指示信号をリモコン装置２に発信させる。
【００４８】
制御部１４は、更に、リモコン受信部１２での実行指示信号の受信を監視し（Ｓ２４）、リモコン受信部１２での実行指示信号の受信がない場合は（Ｓ２４：ＮＯ）、実行指示信号の受信の監視を続行する。リモコン受信部１２が実行指示信号２を受信した場合は（Ｓ２４：ＹＥＳ）、制御部１４は、内部のＲＡＭに記憶している画像内の第１の位置とポインタが指し示す画像内の第２の位置とを含む再生画像内の領域を選択する（Ｓ２５）。制御部１４は、次に、選択した領域をトリミングし（Ｓ２６）、再生トリミングの処理を終了する。このように、本発明の撮影装置１は、表示部１３に表示された画像中のポインタの位置に応じた処理を行う。ステップＳ１１０での処理が終了した場合は、制御部１４はＧＵＩ処理を終了する。
【００４９】
以上詳述した如く、本実施の形態に係る撮影装置１は、リモコン装置２からのスポット光をＣＣＤ１６１で受光し、ＣＣＤ１６１上でのスポット光の受光位置に対応した表示部１３が表示する画像上での位置に、ポインタを表示し、表示部１３が表示する画像上でのポインタの位置に応じた処理を行う。表示部１３が表示する画像上での位置に複数の処理の夫々を対応付けておくことで、種々の処理を遠隔操作で実行することが可能となるので、撮影装置が備える種々の機能を遠隔操作で手軽に利用できるようになる。またリモコン装置２には余分な機能を付け加える必要がないので、リモコン装置２の操作が複雑化せずに利便性が保たれ、またコストの上昇を抑制することができる。
【００５０】
また本実施の形態に係る撮影装置１は、実行すべき処理を示す複数の処理情報からなるメニュー画像を表示部１３に表示し、ポインタの位置に配置された処理情報が示す処理を実行するＧＵＩ処理を行う。これにより、使用者は、表示部１３の表示を視認しながら実行させたい処理を示す処理情報に対応する情報領域にポインタの位置を合わせることによって、手軽に処理内容の指定を行うことができる。
【００５１】
また本実施の形態に係る撮影装置１は、リモコンの信号によってＧＵＩ処理の開始指示を受け付けた場合にＧＵＩ処理を行う。これにより、画像の再生中等のＧＵＩ処理を行う必要がない場合にスポット光が入射されることによって誤ってＧＵＩ処理が開始されることがないので、利便性が損なわれることがない。
【００５２】
また本実施の形態に係る撮影装置１は、リモコンの信号によって処理の実行を指示する実行指示信号を受け付けた場合に、ポインタの位置に応じた処理を実行する。リモコン装置２には実行指示信号を送信する機能を備えるだけで、ポインタの位置に応じた種々の処理の実行を遠隔操作することができるので、リモコン装置２のコストを上昇させずに遠隔操作の利便性を向上させることができる。
【００５３】
（実施の形態２）
実施の形態１では、外部を撮影する本発明に係る撮影手段であるＣＣＤ１６１が本発明に係る受光手段の機能を兼ね備えた形態を示したが、この形態では、スポット光の光強度に対応するような明るさの部分が外部を撮影した外部画像に含まれている場合に、この部分をスポット光であると誤認識する可能性がある。そこで、実施の形態２に係る撮影装置１は、赤外線を分離して受光する構成とする。
【００５４】
図７は、実施の形態２に係る本発明の撮影装置３の内部構成を示すブロック図である。図中の矢印はデータを示し、白矢印は光を示す。撮影装置３は、光学系１５１及びアイリス１５２を通過した光を、その波長に基づいて赤外線と赤外線よりも波長の短い光とに分離する赤外線分離器（分離手段）３１を備える。本発明に係る撮影手段であるＣＣＤ１６１は、赤外線分離器３１によって分離された赤外線よりも波長の短い光を受光し、外部を撮影する。撮影装置３は、また、赤外線分離器３１によって分離された赤外線を受光するＣＣＤ（受光手段）３２を備え、ＣＣＤ３２にはＡＤＣ３３が接続されている。ＡＤＣ３３には、ＡＤＣ３３によってデジタル化されたＣＣＤ３２からの出力信号を画像信号として処理する赤外線信号処理部３４が接続されており、赤外線信号処理部３４は座標判定部１７に接続されている。赤外線信号処理部３４は、赤外線によるスポット光を検出し、座標判定部１７は、ＣＣＤ３２の受光領域内での赤外線によるスポット光の受光位置を判定し、判定した受光位置に対応して、表示部１３が表示する画像内での特定の位置を決定する。制御部１４は、座標判定部１７が決定した画像内の位置を指し示すポインタを表示部１３に表示させる。撮影装置３のその他の内部構成及び機能は実施の形態１に係る撮影装置１の内部構成及び機能と同様であり、対応する部分に同符号を付してその説明を省略する。
【００５５】
本実施の形態に係る撮影装置３が行うＧＵＩ処理の内容は、図３のフローチャートで示した実施の形態１に係る撮影装置１が行うＧＵＩ処理の内容とほぼ同様であり、ＣＣＤ３２が受光したリモコン装置２からの赤外線のスポット光の位置を座標判定部１７が判定し、表示部１３に表示させたポインタの位置に応じた処理を制御部１４が行う。
【００５６】
以上の如く、本実施の形態においては、外部を撮影する撮影手段と赤外線のスポット光を受光する受光手段とを個別に設けることによって、スポット光の光強度に対応するような明るさの部分が外部画像に含まれている場合に、この部分を赤外線のスポット光であると誤認識することがなく、誤作動を防止することができる。
【００５７】
（実施の形態３）
実施の形態２では、リモコン受信部１２を備えた形態を示したが、ＣＣＤ３２で受光した赤外光の信号を認識することができれば、リモコン受信部１２が不要となる。図８は、実施の形態３に係る本発明の撮影装置４の内部構成を示すブロック図である。図７に示した実施の形態２に係る撮影装置３に比べて、リモコン受信部１２が省かれた構成となっている。本実施の形態に係る赤外線信号処理部３４は、ＣＣＤ３２が受光した赤外線を用いた信号を認識することができる構成となっている。撮影装置４のその他の内部構成及び機能は実施の形態２に係る撮影装置３の内部構成及び機能と同様であり、対応する部分に同符号を付してその説明を省略する。
【００５８】
図９は、実施の形態３に係る撮影装置４が行うＧＵＩ処理の手順を示すフローチャートである。使用者は、リモコン装置２を撮影装置１へ向けて操作して、ＧＵＩボタン２２を押下することにより、リモコン装置２にＧＵＩ処理の開始信号を発信させる。
【００５９】
撮影装置４の赤外線信号処理部３４は、リモコン装置２から発信された赤外線のスポット光のＣＣＤ３２での受光の有無を監視している（Ｓ３０１）。スポット光の受光がない場合は（Ｓ３０１：ＮＯ）、赤外線信号処理部３４は、スポット光のＣＣＤ３２での受光の監視を続行する。リモコン装置２から発信された赤外線のスポット光をＣＣＤ３２が受光した場合は（Ｓ３０１：ＹＥＳ）、赤外線信号処理部３４は、ＣＣＤ３２が受光した赤外線のスポット光が示す信号をＡＤＣ３３を介して受け付け、赤外線によるリモコンの信号を認識する（Ｓ３０２）。制御部１４は、次に、赤外線信号処理部３４が認識したリモコンの信号を受け付け、リモコンの信号がＧＵＩ処理の開始信号であるか否かを判定する（Ｓ３０３）。リモコンの信号がＧＵＩ処理の開始信号ではなかった場合は（Ｓ３０３：ＮＯ）、制御部１４は、リモコンの信号の内容に従ったＧＵＩ処理以外の処理を実行し（Ｓ３０４）、ＧＵＩ処理を終了する。
【００６０】
ステップＳ３０３で、リモコンの信号がＧＵＩ処理の開始信号であった場合は（Ｓ３０３：ＹＥＳ）、制御部１４は、制御部１４が行うべき処理の内容を示す複数の処理情報を配置したメニュー画像を表示部１４に表示させる（Ｓ３０５）。座標判定部１７は、次に、ＣＣＤ３２が受光したスポット光の受光位置を判定し、判定した受光位置に対応するメニュー画像内での位置を決定し（Ｓ３０６）、制御部１４は、表示部１３に、決定したメニュー画像内の位置にポインタを表示させる（Ｓ３０７）。制御部１４は、次に、ポインタのメニュー画像内での位置が処理情報に対応する情報領域に含まれるか否かを判定する（Ｓ３０８）。ポインタの位置が情報領域に含まれていない場合は（Ｓ３０８：ＮＯ）、赤外線信号処理部３４は、リモコン装置２から発信された赤外線のスポット光のＣＣＤ３２での受光の有無を監視する（Ｓ３０９）。スポット光の受光がない場合は（Ｓ３０９：ＮＯ）、赤外線信号処理部３４は、赤外線のスポット光のＣＣＤ３２での受光の監視を続行する。赤外線のスポット光をＣＣＤ３２が受光した場合は（Ｓ３０９：ＹＥＳ）、制御部１４は、処理をステップＳ３０６へ戻す。
【００６１】
使用者は、リモコン装置２を動かして、撮影装置４に実行させたい処理を示す処理情報に対応する情報領域へポインタを移動させる。使用者は、リモコン装置２を動かすことによって、所望の処理を示す処理情報に対応する情報領域内にポインタを位置させ、このときに実行ボタン２１を押下することで、所望の処理の実行を指示する実行指示信号をリモコン装置２に発信させる。
【００６２】
ステップＳ３０８で、ポインタの位置がいずれかの情報領域に含まれている場合は（Ｓ３０８：ＹＥＳ）、赤外線信号処理部３４は、ＣＣＤ３２が受光した赤外線のスポット光が示す信号は実行指示信号であるか否かを判定する（Ｓ３１０）。赤外線のスポット光が示す信号は実行指示信号ではない場合は（Ｓ３１０：ＮＯ）、赤外線信号処理部３４は、処理をステップＳ３０９へ戻す。赤外線のスポット光が示す信号が実行指示信号である場合は（Ｓ３１０：ＹＥＳ）、制御部１４は、ポインタの位置が含まれる情報領域が対応する処理情報が示す処理を実行する（Ｓ３１１）。ステップＳ３１１での処理が終了した場合は、制御部１４はＧＵＩ処理を終了する。
【００６３】
以上の如くにして、本実施の形態においても、本発明の撮影装置４は、利便性の損失及びコストの上昇を招くことなしに種々の処理を遠隔操作で実行することが可能となる。またリモコン受信部を不要とすることによってより小型化することができる。
【００６４】
（実施の形態４）
実施の形態１乃至３では、本発明の処理装置は撮影装置であるとした形態を示したが、本発明の形態はこれに限るものではなく、その他の形態の装置でもよい。図１０は、一般的な本発明の処理装置５の内部構成を示すブロック図である。処理装置５は、ＣＣＤ等の受光デバイスを用いた受光部（受光手段）５１と、受光部５１からの信号を処理する信号処理部５２と、受光部５１が受光したスポット光の位置を判定する座標判定部５３と、処理を行う制御部５４と、ＬＣＤ又はＣＲＴディスプレイ等の表示部５５とを備えている。受光部５１は、リモコン装置２が発信した赤外線を受光することが可能に構成されており、信号処理部５２は、受光部５１が受光した赤外線を用いたリモコンの信号を認識することができる構成となっている。
【００６５】
このような構成の処理装置５の例としては、テレビジョン装置、又は表示部５５を備えた画像再生装置等がある。この処理装置５が行うＧＵＩ処理の内容は、図９のフローチャートで示したＧＵＩ処理の内容とほぼ同様である。受光部５１は、リモコン装置２からの赤外線のスポット光を受光し（Ｓ３０１：ＹＥＳ）、信号処理部５２はリモコンの信号を認識し（Ｓ３０２）、リモコンの信号がＧＵＩ処理の開始信号である場合は（Ｓ３０３：ＹＥＳ）、制御部５４は、テレビジョン装置の画面等の表示部５５にメニュー画像を表示させる（Ｓ３０５）。座標判定部５３は、スポット光の受光位置を判定し、受光位置に対応するメニュー画像内の位置を決定し（Ｓ３０６）、制御部５４は、表示部５５に、決定したメニュー画像内の位置にポインタを表示させ（Ｓ３０７）、ポインタの位置が含まれている処理領域が対応する処理情報が示す処理を実行する（Ｓ３１１）。
【００６６】
以上の如くにして、撮影装置以外の形態である処理装置５においても、利便性の損失及びコストの上昇を招くことなしに種々の機能を遠隔で利用することができる。
【００６７】
なお、実施の形態１乃至３及び以上の実施の形態においては、リモコン装置２からの赤外光を受光して処理を行う形態を示しているが、これに限るものではなく、本発明の処理装置は、レーザポインタ装置等の発光装置から発光される光等のリモコンの信号を含まない光を受光して処理を行う形態であってもよい。例えば、表示部５５が最初からメニュー画像を表示しておき、受光部５１がスポット光を受光することでＧＵＩ処理を行う形態であってもよい。
【００６８】
図１１は、表示部５５が最初からメニュー画像を表示している処理装置３が行うＧＵＩ処理の手順を示すフローチャートである。処理装置５の表示部５５は、制御部５４が行うべき処理の内容を示す複数の処理情報を配置したメニュー画像を表示している。ＧＵＩ処理を行う際は、使用者は、レーザポインタ装置等の発光装置を操作して、発光装置に処理装置５の受光部５１へ向けて所定範囲の面積内で所定範囲の光強度を有するスポット光を発光させる。
【００６９】
処理装置５の信号処理部５２は、スポット光の受光部５１での受光の有無を監視する（Ｓ４１）。スポット光の受光がない場合は（Ｓ４１：ＮＯ）、信号処理部５２は、スポット光の受光部５１での受光の監視を続行する。レーザポインタ装置等の発光装置から発光されたスポット光を受光部５１が受光した場合は（Ｓ４１：ＹＥＳ）、座標判定部５３は、受光部５１が受光したスポット光の受光位置を判定し、受光位置に対応するメニュー画像内の位置を決定し（Ｓ４２）、制御部５４は、表示部５５に、座標判定部５３が決定したメニュー画像内の位置にポインタを表示させる（Ｓ４３）。制御部５４は、次に、ポインタのメニュー画像内での位置が処理情報に対応する情報領域に含まれるか否かを判定する（Ｓ４４）。ポインタの位置が情報領域に含まれていない場合は（Ｓ４４：ＮＯ）、制御部５４は処理をステップＳ４１へ戻す。使用者は、表示部５５に表示されたポインタを視認し、レーザポインタ装置等の発光装置を動かして、処理装置５に実行させたい処理を示す処理情報に対応する情報領域へポインタを移動させる。ステップＳ４４で、ポインタの位置が情報領域に含まれている場合は（Ｓ４４：ＹＥＳ）、制御部５４は、情報領域が対応する処理情報が示す処理を実行し（Ｓ４５）、ＧＵＩ処理を終了する。
【００７０】
以上の如くにして、リモコン装置以外のレーザポインタ装置等の発光装置を用いることによって、利便性の損失及びコストの上昇を招くことなしに種々の機能を遠隔で利用することができる処理装置５を実現することができる。
【００７１】
なお、以上の実施の形態においては、表示手段がメニュー画像を表示してＧＵＩ処理を行う形態を示したが、本発明の処理装置の形態はこれに限るものではなく、表示手段が表示している画像の内容に関わることなく、ポインタの画像上の位置に応じた処理を実行する形態であってもよい。
【００７２】
（実施の形態５）
実施の形態１乃至４では、本発明の処理装置は本発明に係る表示手段を内部に備えた形態を示したが、本発明の形態はこれに限るものではなく、外部の表示手段に接続可能であり、外部の表示手段に画像を表示させる機能を有する形態の装置でもよい。図１２は、実施の形態５に係る処理装置６の内部構成を示すブロック図である。処理装置６は、外部の表示装置（表示手段）７が接続されたインタフェース部６１を備えている。インタフェース部６１は、制御部５４に接続されている。制御部５４は、処理装置６が備えている図示しない記憶部が記憶する画像データをインタフェース部６１に表示装置７へ送信させることによって、表示装置７に画像を表示させることができる構成となっている。なお、図示しない撮影部が撮影した画像を表示装置７に表示させる形態であってもよい。処理装置６のその他の内部構成及び機能は実施の形態４に係る処理装置５の内部構成及び機能と同様であり、対応する部分に同符号を付してその説明を省略する。
【００７３】
このような構成の処理装置６の例としては、外部のモニタ装置に接続可能なビデオカメラ装置、又はテレビジョン装置に接続可能であり、内部で記憶する画像データに基づいた画像をテレビジョン装置に再生させる画像再生装置等がある。この処理装置６が行うＧＵＩ処理の内容は、図９のフローチャートで示したＧＵＩ処理の内容とほぼ同様である。受光部５１は、リモコン装置２からの赤外線のスポット光を受光し（Ｓ３０１：ＹＥＳ）、信号処理部５２はリモコンの信号を認識し（Ｓ３０２）、リモコンの信号がＧＵＩ処理の開始信号である場合は（Ｓ３０３：ＹＥＳ）、制御部５４は、表示装置７にメニュー画像を表示させる（Ｓ３０５）。座標判定部５３は、受光部５１でのスポット光の受光位置を判定し、受光位置に対応するメニュー画像内での位置を決定し（Ｓ３０６）、制御部５４は、表示装置７に、座標判定部５３が決定したメニュー画像内での位置にポインタを表示させる（Ｓ３０７）。使用者は、表示装置７の画面を視認しながらリモコン装置２を操作する。制御部５４は、ポインタの位置が含まれている処理領域が対応する処理情報が示す処理を実行する（Ｓ３１１）。
【００７４】
以上の如くにして、表示手段を内部に備えていない形態である処理装置６においても、利便性の損失及びコストの上昇を招くことなしに種々の機能を遠隔で利用することができる。なお、処理装置６は、レーザポインタ装置等の発光装置を用いて遠隔操作を行う形態であってもよい。
【図面の簡単な説明】
【００７５】
【図１】本発明の撮影装置及びリモコン装置からなる本発明の撮影システムの外観を示す模式図である。
【図２】実施の形態１に係る本発明の撮影装置の内部構成を示すブロック図である。
【図３】本発明の撮影装置が行うＧＵＩ処理の手順を示すフローチャートである。
【図４】メニュー画像の例を示す模式図である。
【図５】再生トリミングの処理を行う際の表示部の表示例を示す模式図である。
【図６】本発明の撮影装置が行う再生トリミング処理の手順を示すフローチャートである。
【図７】実施の形態２に係る本発明の撮影装置の内部構成を示すブロック図である。
【図８】実施の形態３に係る本発明の撮影装置の内部構成を示すブロック図である。
【図９】実施の形態３に係る撮影装置が行うＧＵＩ処理の手順を示すフローチャートである。
【図１０】一般的な本発明の処理装置の内部構成を示すブロック図である。
【図１１】表示部が最初からメニュー画像を表示している処理装置が行うＧＵＩ処理の手順を示すフローチャートである。
【図１２】実施の形態５に係る処理装置の内部構成を示すブロック図である。
【符号の説明】
【００７６】
１、３、４  撮影装置（処理装置）
１１  開口部
１２  リモコン受信部（受信手段）
１３、５５  表示部（表示手段）
１４、５４  制御部（処理手段）
１６１  ＣＣＤ（受光手段、撮影手段）
１７、５３  座標判定部（決定手段）
２  リモコン装置
３１  赤外線分離器（分離手段）
３２  ＣＣＤ（受光手段）
５、６  処理装置
５１  受光部（受光手段）
７  表示装置（表示手段）
【図１】
2006050104.tif 000003
【図２】
2006050104.tif 000004
【図３】
2006050104.tif 000005
【図４】
2006050104.tif 000006
【図５】
2006050104.tif 000007
【図６】
2006050104.tif 000008
【図７】
2006050104.tif 000009
【図８】
2006050104.tif 000010
【図９】
2006050104.tif 000011
【図１０】
2006050104.tif 000012
【図１１】
2006050104.tif 000013
【図１２】
2006050104.tif 000014